(57)【要約】【課題】処理負荷をより低くしつつ、より正確な電池残量を表示することができる。【解決手段】ＣＰＵ１０１は、電池１０６の使用時間を計測する。電圧検出部１０７は、電池１０６の電圧を検出する。ＣＰＵ１０１は、電池１０６の使用時間に基づいて電池１０６の残量を算出し、電池１０６の電圧が所定の閾値未満の場合には電池１０６の電圧に基づいて電池１０６の残量を算出する。表示部１０５は、ＣＰＵ１０１が算出した電池１０６の残量を表示する。【選択図】図２
2015102342.tif 000002
【特許請求の範囲】
【請求項１】
電池の使用時間を計測する使用時間計測部と、
前記電池の電圧を検出する電圧検出部と、
前記電池の使用時間に基づいて前記電池の残量を算出し、前記電池の電圧が所定の閾値未満の場合には前記電池の電圧に基づいて前記電池の残量を算出する算出部と、
前記算出部が算出した前記電池の残量を表示する表示部と、
を備えることを特徴とする電子機器。
【請求項２】
所定の処理の制御を行う制御部
を備え、
前記電圧検出部は、前記制御部が前記所定の処理の制御を行うまたは行った場合、前記電池の電圧を検出する
ことを特徴とする請求項１に記載の電子機器。
【請求項３】
電池の使用時間を計測する使用時間計測ステップと、
前記電池の電圧を検出する電圧検出ステップと、
前記電池の使用時間に基づいて前記電池の残量を算出し、前記電池の電圧が所定の閾値未満の場合には前記電池の電圧に基づいて前記電池の残量を算出する算出ステップと、
前記算出ステップで算出した前記電池の残量を表示する表示ステップと、
を含むことを特徴とする電池残量算出方法。
【請求項４】
電池の使用時間を計測する使用時間計測ステップと、
前記電池の電圧を検出する電圧検出ステップと、
前記電池の使用時間に基づいて前記電池の残量を算出し、前記電池の電圧が所定の閾値未満の場合には前記電池の電圧に基づいて前記電池の残量を算出する算出ステップと、
前記算出ステップで算出した前記電池の残量を表示する表示ステップと、
をコンピュータに実行させるためのプログラム。
【発明の詳細な説明】
【技術分野】
【０００１】
本発明は、電子機器、電池残量算出方法およびプログラムに関する。
【背景技術】
【０００２】
従来より、電池残量の表示を行う電子時計が知られている。電池残量の算出方法として、電池特性に基づいて電池電圧を電池残量に変換する方法が知られている。また、電池残量の算出方法として、周辺回路処理の処理回数を累積カウントして電池残量を算出する方法が知られている（例えば、特許文献１参照）。また、電池残量の算出方法として、使用時間を監視して電池残量を算出する方法が知られている（例えば、特許文献２参照）。
【先行技術文献】
【特許文献】
【０００３】
【特許文献１】特開２０００−１４７６３０号公報
【特許文献２】特開平８−６９３４７号公報
【発明の概要】
【発明が解決しようとする課題】
【０００４】
しかしながら、電池特性に基づいて電池電圧を電池残量に変換する方法では、電池消耗が５０％程度の場合、電池特性の平坦な部分での電圧情報を電池残量に換算することとなる。そのため、電池消耗が５０％程度の場合では、電池消耗による電圧の変動よりも温度による電圧の変動の方が大きい。従って、電池電圧を電池残量に変換する方法では、電池消耗が５０％程度の場合には電池残量の正確性に欠けるという問題がある。
【０００５】
また、周辺回路処理の処理回数を累積カウントして電池残量を算出する方法では、処理に負荷がかかるという問題がある。特に、ＲＯＭ容量やＣＰＵ性能の限られた電子時計では、処理の負荷が低い処理が望まれる。
【０００６】
また、使用時間を監視して電池残量を算出する方法では、使用環境によって電池の消耗度合いが異なる。そのため、使用時間が長く、電池残量が残りわずかのときの電池残量の正確性に欠けるという問題がある。
【０００７】
そこで、本発明は上述の事情を鑑みてなされたものであり、処理負荷をより低くしつつ、より正確な電池残量を表示することができる電子機器、電池残量算出方法およびプログラムを提供することを目的とする。
【課題を解決するための手段】
【０００８】
本発明の幾つかの態様は、電池の使用時間を計測する使用時間計測部と、前記電池の電圧を検出する電圧検出部と、前記電池の使用時間に基づいて前記電池の残量を算出し、前記電池の電圧が所定の閾値未満の場合には前記電池の電圧に基づいて前記電池の残量を算出する算出部と、前記算出部が算出した前記電池の残量を表示する表示部と、を備えることを特徴とする電子機器である。
【０００９】
また、本発明の他の態様は、所定の処理の制御を行う制御部を備え、前記電圧検出部は、前記制御部が前記所定の処理の制御を行うまたは行った場合、前記電池の電圧を検出することを特徴とする電子機器である。
【００１０】
また、本発明の他の態様は、電池の使用時間を計測する使用時間計測ステップと、前記電池の電圧を検出する電圧検出ステップと、前記電池の使用時間に基づいて前記電池の残量を算出し、前記電池の電圧が所定の閾値未満の場合には前記電池の電圧に基づいて前記電池の残量を算出する算出ステップと、前記算出ステップで算出した前記電池の残量を表示する表示ステップと、を含むことを特徴とする電池残量算出方法である。
【００１１】
また、本発明の他の態様は、電池の使用時間を計測する使用時間計測ステップと、前記電池の電圧を検出する電圧検出ステップと、前記電池の使用時間に基づいて前記電池の残量を算出し、前記電池の電圧が所定の閾値未満の場合には前記電池の電圧に基づいて前記電池の残量を算出する算出ステップと、前記算出ステップで算出した前記電池の残量を表示する表示ステップと、をコンピュータに実行させるためのプログラムである。
【発明の効果】
【００１２】
本発明によれば、使用時間計測部は、電池の使用時間を計測する。また、電圧検出部は、電池の電圧を検出する。また、算出部は、電池の使用時間に基づいて電池の残量を算出し、電池の電圧が所定の閾値未満の場合には電池の電圧に基づいて電池の残量を算出する。また、表示部は、算出部が算出した電池の残量を表示する。従って、処理負荷をより低くしつつ、より正確な電池残量を表示することができる。
【図面の簡単な説明】
【００１３】
【図１】本発明の一実施形態における電子時計の外観構成を示す正面図である
【図２】本実施形態における電子時計の構成を示したブロック図である。
【図３】本実施形態において、表示部が表示する電池残量の表示例を示した概略図である。
【図４】本実施形態における電池残量の表示処理手順を示したフローチャートである。
【図５】本実施形態における電池残量の他の表示処理手順を示したフローチャートである。
【図６】本実施形態における電池の使用時間と電圧との関係を示したグラフである。
【発明を実施するための形態】
【００１４】
以下、本発明の実施形態について図面を参照しながら説明する。本実施形態では、電子機器の例として、電子時計を用いて説明する。図１は、本実施形態における電子時計１００（電子機器）の外観構成を示す正面図である。図示する例では、電子時計１００は、キー入力手段１０４と表示部１０５とを備えている。キー入力手段１０４は、例えば複数のボタン（スイッチ）等を備えており、操作入力を受け付ける。表示部１０５は、例えば液晶ディスプレイまたはセグメントディスプレイ等であり、情報を表示する。
【００１５】
次に、電子時計１００の構成について説明する。図２は、本実施形態における電子時計１００の構成を示したブロック図である。図示する例では、電子時計１００は、ＣＰＵ（Ｃｅｎｔｒａｌ  Ｐｒｏｃｅｓｓｉｎｇ  Ｕｎｉｔ）１０１（使用時間計測部、算出部、制御部）と、発振回路１０２と、分周回路１０３と、キー入力手段１０４と、表示部１０５と、電池１０６と、電圧検出部１０７と、ＲＡＭ（Ｒａｎｄｏｍ  Ａｃｃｅｓｓ  Ｍｅｍｏｒｙ、ランダムアクセスメモリ）１１０と、ＲＯＭ（Ｒｅａｄ  Ｏｎｌｙ  Ｍｅｍｏｒｙ、読み出し専用メモリ）１１１とを備える。
【００１６】
ＣＰＵ１０１は、制御部として動作し、電子時計１００が備える各部の制御を行う。また、ＣＰＵ１０１は、使用時間計測部として動作し、電池１０６の使用時間をカウント（計測）する。また、ＣＰＵ１０１は、算出部として動作し、電池１０６の使用時間に基づいて電池１０６の電池残量を算出する。また、ＣＰＵ１０１は、算出部として動作し、電池１０６の電圧に基づいて電池１０６の電池残量を算出する。また、ＣＰＵ１０１は、分周回路１０３から入力された計測信号に基づいて現在時刻を計時する。
【００１７】
発振回路１０２は、所定周波数（例えば、３２７６８Ｈｚ）の発振信号を生成して分周回路１０３に出力する。分周回路１０３は、発振回路１０２から入力された発振信号の周波数を分周して計測の基準となる計測信号を生成し、生成した計測信号をＣＰＵ１０１に出力する。キー入力手段１０４は、操作入力を受け付ける。表示部１０５は、情報を表示する。例えば、表示部１０５は、情報として、時刻や電池１０６の電池残量などを表示する。電池１０６は、電子時計１００が備える各部に、動作するための電力を供給する。電圧検出部１０７は、電池１０６の電圧を検出する。
【００１８】
ＲＡＭ１１０は、電子時計１００の各部が用いるデータを記憶する。ＲＯＭ１１１は、ＣＰＵ１０１が実行する動作用プログラムを予め記憶している。この動作用プログラムは、ＣＰＵ１０１の起動時に読み出される。また、ＲＯＭ１１１は、電池１０６の電池使用時間と電池残量との関係値や、電池１０６の電圧と電池残量との関係値を予め記憶している。
【００１９】
次に、表示部１０５が表示する電池残量の表示例について説明する。図３は、本実施形態において、表示部１０５が表示する電池残量の表示例を示した概略図である。図示する例では、電池残量を電池マーク１１−１〜１１−１０の１０分割で示している。表示部１０５は、電池残量が１００％〜９１％の場合には、電池マーク１１−１を表示する。また、表示部１０５は、電池残量が９０％〜８１％の場合には、電池マーク１１−２を表示する。また、表示部１０５は、電池残量が８０％〜７１％の場合には、電池マーク１１−３を表示する。また、表示部１０５は、電池残量が７０％〜６１％の場合には、電池マーク１１−４を表示する。また、表示部１０５は、電池残量が６０％〜５１％の場合には、電池マーク１１−５を表示する。
【００２０】
また、表示部１０５は、電池残量が５０％〜４１％の場合には、電池マーク１１−６を表示する。また、表示部１０５は、電池残量が４０％〜３１％の場合には、電池マーク１１−７を表示する。また、表示部１０５は、電池残量が３０％〜２１％の場合には、電池マーク１１−８を表示する。また、表示部１０５は、電池残量が２０％〜１１％の場合には、電池マーク１１−９を表示する。また、表示部１０５は、電池残量が１０％〜０％の場合には、電池マーク１１−１０を表示する。これにより、ユーザは、表示部１０５が表示している電池マーク１１−１〜１１−１０を見ることで、電池１０６の電池残量を把握することができる。なお、表示部１０５が表示する電池残量の表示は、１０分割に限らず、どのような分割で表示してもよい。
【００２１】
次に、電池残量の表示処理手順について説明する。図４は、本実施形態における電池残量の表示処理手順を示したフローチャートである。例えば、電池１０６が一次電池の場合、ＣＰＵ１０１は、電池１０６が新品に交換されたときに以下の処理を開始する。また、例えば、電池１０６が二次電池の場合、ＣＰＵ１０１は、電池１０６の充電が完了したときに以下の処理を開始する。また、例えば、ユーザもしくは製造者が出荷などの任意のタイミングで、電池使用時間カウンタの値を任意のカウンタ値に設定させることもできる。
【００２２】
（ステップＳ１０１）ＣＰＵ１０１は、電池使用時間カウンタをリセットする。また、ＣＰＵ１０１は、電池使用時間カウンタのカウントを開始する。その後、ステップＳ１０２の処理に進む。なお、電池使用時間カウンタのカウント方法は、リセットを行った時点から経過した時間、すなわち、電池１０６の使用時間を計測することができれば、どのような方法でもよい。
【００２３】
（ステップＳ１０２）ＣＰＵ１０１は、現在の時刻が正時であるか否かを判定する。正時であるとＣＰＵ１０１が判定した場合にはステップＳ１０４の処理に進み、それ以外の場合にはステップＳ１０３の処理に進む。
【００２４】
（ステップＳ１０３）ＣＰＵ１０１は、所定の処理の制御を行ったか否かを判定する。所定の処理の制御を行ったとＣＰＵ１０１が判定した場合にはステップＳ１０４の処理に進み、それ以外の場合にはステップＳ１０２の処理に戻る。例えば、所定の処理として、バックライトの点灯や報音など、電池１０６の消費を伴う処理が予め定められている。
【００２５】
（ステップＳ１０４）電圧検出部１０７は、電池１０６の電圧を検出する。その後、ステップＳ１０５の処理に進む。
（ステップＳ１０５）ＣＰＵ１０１は、ステップＳ１０４の処理で電圧検出部１０７が検出した電池１０６の電圧が所定の閾値以上であるか否かを判定する。電池１０６の電圧は所定の閾値以上であるとＣＰＵ１０１が判定した場合にはステップＳ１０６の処理に進み、それ以外の場合にはステップＳ１０８の処理に進む。例えば、所定の閾値としては、電池残量が少ない場合の電池１０６の電圧とする。
【００２６】
（ステップＳ１０６）ＣＰＵ１０１は、ステップＳ１０１の処理でカウントを開始した、電池使用時間カウンタのカウント値に基づいて、電池１０６の電池残量を算出する。その後、ステップＳ１０７の処理に進む。
【００２７】
電池使用時間カウンタのカウント値に基づいて電池１０６の電池残量を算出する方法はどのような方法を用いてもよい。電池使用時間カウンタのカウント値に基づいて電池１０６の電池残量の算出方法の一例としては、ＲＯＭ１１１は、電池使用時間カウンタのカウンタ値と、電池１０６の電池残量との関係値を記憶しており、ＣＰＵ１０１は、ＲＯＭ１１１が記憶している関係値に基づいて、電池１０６の電池残量を算出する。
【００２８】
（ステップＳ１０７）表示部１０５は、ステップＳ１０６の処理でＣＰＵ１０１が算出した電池１０６の電池残量に基づいて、電池残量を示す電池マーク１１−１〜１１−１０のいずれかを表示する。すなわち、表示部１０５は、電池使用時間カウンタのカウンタ値に基づいた電池１０６の電池残量を表示する。その後、ステップＳ１０２の処理に戻る。
【００２９】
例えば、ステップＳ１０６の処理でＣＰＵ１０１が算出した電池残量が８５％である場合、表示部１０５は電池マーク１１−２を表示する。その他の電池残量の場合においても、上述したとおり、表示部１０５は電池マーク１１−１〜１１−１０のいずれかを表示する。
【００３０】
（ステップＳ１０８）ＣＰＵ１０１は、ステップＳ１０４の処理で検出した電池１０６の電圧に基づいて、電池１０６の電池残量を算出する。その後、ステップＳ１０９の処理に進む。
【００３１】
電池１０６の電圧に基づいて、電池１０６の電池残量を算出する方法はどのような方法を用いてもよい。電圧に基づいて電池１０６の電池残量の算出方法の一例としては、ＲＯＭ１１１は、電池１０６の電圧と、電池１０６の電池残量との関係値を記憶しており、ＣＰＵ１０１は、ＲＯＭ１１１が記憶している関係値に基づいて、電池１０６の電池残量を算出する。
【００３２】
（ステップＳ１０９）表示部１０５は、ステップＳ１０８の処理でＣＰＵ１０１が算出した電池１０６の電池残量に基づいて、電池残量を示す電池マーク１１−１〜１１−１０のいずれかを表示する。すなわち、表示部１０５は、電池１０６の電圧に基づいた電池残量を表示する。その後、ステップＳ１０２の処理に戻る。
【００３３】
例えば、ステップＳ１０８の処理でＣＰＵ１０１が算出した電池残量が１５％である場合、表示部１０５は電池マーク１１−９を表示する。その他の電池残量の場合においても、上述したとおり、表示部１０５は電池マーク１１−１〜１１−１０のいずれかを表示する。
【００３４】
次に、電池残量の他の表示処理手順について説明する。図５は、本実施形態における電池残量の他の表示処理手順を示したフローチャートである。例えば、電池１０６が一次電池の場合、ＣＰＵ１０１は、電池１０６が新品に交換されたときに以下の処理を開始する。また、例えば、電池１０６が二次電池の場合、ＣＰＵ１０１は、電池１０６の充電が完了したときに以下の処理を開始する。また、例えば、ユーザもしくは製造者が出荷などの任意のタイミングで、電池使用時間カウンタの値を任意のカウンタ値に設定させることもできる。
【００３５】
ステップＳ２０１の処理は、図４に示したステップＳ１０１の処理と同様である。
（ステップＳ２０２）ＣＰＵ１０１は、現在の時刻が正時であるか否かを判定する。正時であるとＣＰＵ１０１が判定した場合にはステップＳ２０６の処理に進み、それ以外の場合にはステップＳ２０３の処理に進む。
【００３６】
（ステップＳ２０３）ＣＰＵ１０１は、所定の処理の制御をこれから行うか否かを判定する。所定の処理の制御をこれから行うとＣＰＵ１０１が判定した場合にはステップＳ２０４の処理に進み、それ以外の場合にはステップＳ２０２の処理に戻る。例えば、所定の処理として、バックライトの点灯や報音など、電池１０６の消費を伴う処理が予め定められている。
【００３７】
（ステップＳ２０４）電圧検出部１０７は、電池１０６の電圧を検出する。その後、ステップＳ２０５の処理に進む。
（ステップＳ２０５）ＣＰＵ１０１は、ステップＳ２０４の処理で電圧検出部１０７が検出した電池１０６の電圧が、所定の処理を実行できる電圧以上であれば所定の処理を実行する。また、ＣＰＵ１０１は、ステップＳ２０４の処理で電圧検出部１０７が検出した電池１０６の電圧が、所定の処理を実行できる電圧未満であれば所定の処理の実行をキャンセルする。その後、ステップＳ２０７の処理に進む。
【００３８】
（ステップＳ２０６）電圧検出部１０７は、電池１０６の電圧を検出する。その後、ステップＳ２０７の処理に進む。
（ステップＳ２０７）ＣＰＵ１０１は、ステップＳ２０５またはステップＳ２０６の処理で電圧検出部１０７が検出した電池１０６の電圧が所定の閾値以上であるか否かを判定する。電池１０６の電圧は所定の閾値以上であるとＣＰＵ１０１が判定した場合にはステップＳ２０８の処理に進み、それ以外の場合にはステップＳ２１０の処理に進む。例えば、所定の閾値としては、電池残量が少ない場合の電池１０６の電圧とする。
【００３９】
ステップＳ２０８〜ステップＳ２１１の処理は、図４に示したステップＳ１０６〜ステップＳ１０９の処理と同様である。
【００４０】
上述したとおり、本実施形態によれば、電池１０６の電圧が所定の閾値以上である場合には、電池使用時間カウンタのカウント値に基づいて電池１０６の電池残量を算出して表示する。また、電池１０６の電圧が所定の閾値未満である場合には、電池１０６の電圧に基づいて電池１０６の電池残量を算出して表示する。
【００４１】
図６は、本実施形態における電池１０６の使用時間と電圧との関係を示したグラフである。グラフの横軸は電池１０６の使用時間を示している。グラフの縦軸は電池１０６の電圧を示している。図示する例では、電池１０６の電池残量が１００％〜２０％の場合、電池使用時間に基づいた電池残量表示を行っている。また、電池１０６の電池残量が２０％〜０％の場合、電池１０６の電圧に基づいた電池残量表示を行っている。
【００４２】
例えば、電池１０６の電池残量が所定量以上残っている場合、電池１０６の電池残量が変化しても電池１０６の電圧はほとんど変化しない。図６に示す例では、電池１０６の電池残量が２０％以上の場合、電池１０６の電池残量が変化しても電池１０６の電圧はほとんど変化しない。そのため、電池１０６の電池残量が所定量以上残っているときに電池１０６の電圧に基づいて電池残量を算出する場合、電池残量を正確に算出することができない。また、電池１０６の使用開始時から時間が大きく経過した場合、使用環境によって電池の消耗度合いが異なる。そのため、電池１０６の使用開始時から時間が大きく経過し、電池１０６の電池残量が所定量以上残っていないときに使用時間に基づいて電池残量を算出する場合、電池残量を正確に算出することができない。
【００４３】
しかしながら、本実施形態では、電池１０６の電池残量が所定量以上残っている場合、すなわち、電池１０６の電圧が所定の閾値以上である場合には、電池使用時間カウンタのカウント値に基づいて電池１０６の電池残量を算出して表示する。図６に示す例では、電池１０６の電圧がｘ［ｖｏｌｔ］以上である場合には、電池使用時間カウンタのカウント値に基づいて電池１０６の電池残量を算出して表示する。よって、電池１０６の電池残量が所定量以上残っている場合においても、電池残量をより正確に算出することができる。
【００４４】
また、電池１０６の電池残量が所定量未満である場合、すなわち、電池１０６の電圧が所定の閾値未満である場合には、電池１０６の電圧に基づいて電池１０６の電池残量を算出して表示する。図６に示す例では、電池１０６の電圧がｘ［ｖｏｌｔ］未満である場合には、電池１０６の電圧に基づいて電池１０６の電池残量を算出して表示する。よって、電池１０６の電池残量が所定量未満である場合においても、電池残量をより正確に算出することができる。
【００４５】
従って、本実施形態の電子時計１００は、処理負荷をより低くしつつ、電池１０６の電池残量をより正確に表示することができる。
【００４６】
また、例えば、バックライトの点灯や報音などの所定の処理を行った場合、電池１０６の電力を消費する。所定の処理によって電池１０６の電力を消費した場合、電池残量によっては電池１０６の電圧が所定の閾値未満となる場合がある。そこで、本実施形態では、所定の処理を行った場合、電池１０６の電圧を検出し、電池１０６の電圧が所定の閾値未満である場合には、電池１０６の電圧に基づいて電池１０６の電池残量を算出して表示する。従って、所定の処理を行い、電池１０６を消耗した場合においても、電池残量をより正確に算出し表示することができる。
【００４７】
また、本実施形態では、周辺回路処理の処理回数を累積カウントして電池残量を算出する処理を行わないため、例えば他にＣＰＵ１０１の負荷の高い処理を行ったとしても、応答性は低下しない。
【００４８】
なお、上述した実施形態における電子時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部を含むが、必ずしもこれらに限定されるものではない。さらに「コンピュータ読み取り可能な記録媒体」に代え、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５０】
以上、本発明の実施形態について説明したが、本発明は、上記の実施形態に限定されるものではなく、本発明の趣旨を逸脱しない範囲において種々の変更を加えることが可能である
【００５１】
例えば、上述した実施形態では、正時毎に電池使用時間カウンタに基づいて電池残量を算出し、表示しているが、これに限らない。例えば、所定時間毎など、どのようなタイミングで電池使用時間カウンタに基づいて電池残量を算出し、表示するようにしてもよい。
【００５２】
また、例えば、上述した実施形態では、電子機器の例として電子時計１００を用いて説明したが、これに限らない。電子機器は、例えばスマートフォン等、電池残量を表示する電子機器であればどのような電子機器であってもよい。
【符号の説明】
【００５３】
１１−１〜１１−１０・・・電池マーク、１００・・・電子時計、１０１・・・ＣＰＵ、１０２・・・発振回路、１０３・・・分周回路、１０４・・・キー入力手段、１０５・・・表示部、１０６・・・電池、１０７・・・電圧検出部、１１０・・・ＲＡＭ、１１１・・・ＲＯＭ
【図１】
2015102342.tif 000003
【図２】
2015102342.tif 000004
【図３】
2015102342.tif 000005
【図４】
2015102342.tif 000006
【図５】
2015102342.tif 000007
【図６】
2015102342.tif 000008